(57)【要約】【課題】  デザイン手法とまたは衛生管理手段として、内照式の光線によるイルミネーション効果または殺菌効果を取り入れた箸を提供する。【解決手段】  箸１０を光透過性の素材または光通過性の構造によって形成し、箸の１０内部にＬＥＤ光源Ｌ１…と電池Ｂ…を装填する。ＬＥＤ光源Ｌ１…からの光線は、光透過性の素材または光通過性の構造を介して箸の任意箇所に導いて発光させる。これによって、新機軸を打ち出すことが難しい箸の分野に、光をデザイン要素とする新たなデザインの可能性を開拓した。また、ＬＥＤ光源Ｌ１…として殺菌作用を発揮する紫外領域の波長を発するものを用いることにより、箸に自浄的殺菌機能を付加した。【選択図】図１
2011067578.tif 000002
【特許請求の範囲】
【請求項１】
箸を光透過性の素材または光通過性の構造によって形成し、箸の基端部または箸の中間部の任意位置に少なくともＬＥＤ光源と該ＬＥＤ光源の電源とする電池を装填するとともに、使用者が意識的に操作する操作スイッチまたは使用者の指の接触を感知して作動するタッチスイッチを設けてなり、
箸の使用に際して前記ＬＥＤ光源からの光線を、前記光透過性の素材または光通過性の構造を介して箸の任意箇所に導いて発光させることを特徴とする内照式の箸。
【請求項２】
前記光透過性の素材中にレーザ彫刻手法によって文字や図案が刻設されていることを特徴とする請求項１に記載の内照式の箸。
【請求項３】
前記ＬＥＤ光源が複数色の発光機能を有するが、または前記ＬＥＤ光源として発光色の異なる複数のＬＥＤを備え、前記操作スイッチまたはタッチスイッチによって発光色を切替え可能であることを特徴とする請求項１または請求項２に記載の内照式の箸。
【請求項４】
前記ＬＥＤ光源の発光色を所定の繰返しパターンまたは無作為に自動的に切り換える制御回路を備えることを特徴とする請求項３に記載の内照式の箸。
【請求項５】
前記ＬＥＤ光源が殺菌作用を有する紫外領域の光線を発することを特徴とする請求項１ないし請求項４のいずれか１項に記載の内照式の箸。
【発明の詳細な説明】
【技術分野】
【０００１】  本発明は、内部にＬＥＤ光源を備え、このＬＥＤ光源によって極めて独創的なイルミネーション効果の他、態様によっては殺菌効果をも発揮することができるようにした箸に関する。
【背景技術】
【０００２】  箸は、伝統的に洗練され尽くされた単純な形態の食事用品であり、材質的、構造的な工夫余地やデザイン的な工夫余地には乏しい。したがって、箸の製造業界においては、自社商品を他社商品から差別化するための工夫に苦慮している。また、この業界に創業的に新規参入を企図しても、単に安値を売り物にするしか方法がないというのが現状である。
【先行技術文献】
【０００３】
【特許文献１】  意匠登録第１３１２９１５号公報
【特許文献２】  特開平４−２１５７１２号公報
【特許文献３】  特開平１１−２１６０５７号公報
【０００４】  上記特許文献１ないし３に示す提案例は、箸の分野における主にデザイン的見地からの自他商品の差別化例を示す。また、機能的見地からの差別化例としては、箸の塗料にトルマリンや酸化チタン、塩化銀等の殺菌性物質を含ませたものを用いる公知手法が知られている。しかし、この種の提案例は、すこぶる多く、これらの差別化手段は既に自他商品の差別化機能を失ったということができる。
【発明の概要】
【発明が解決しようとする課題】
【０００５】  本発明は、従来試みられていない内部照明を採り入れるという新規の発想により、その用途上、構造や形状やサイズが限定的であるために新機軸を打ち出すことが難しい箸の分野に、光をデザイン要素とする新たなデザインの可能性を開拓すること、および特定の波長の光が有する殺菌機能を付加することを目的とする。
【課題を解決するための手段】
【０００６】  上記目的を達成するための手段として本発明は、次のような構成を採用する。【０００７】  本発明の内照式の箸は、箸を光透過性の素材または光通過性の構造によって形成し、箸の基端部または箸の中間部の任意位置に少なくともＬＥＤ光源と、このＬＥＤ光源の電源とする電池を装填するとともに、使用者が意識的に操作する操作スイッチまたは使用者の指の接触を感知して作動するタッチスイッチを設けてなり、箸の使用に際してＬＥＤ光源からの光線を、光透過性の素材または光通過性の構造を介して箸の任意箇所に導いて発光させることを特徴とする。【０００８】  箸を光透過性の素材によって形成する場合、その光透過性の素材中にレーザ彫刻手法によって文字や図案を刻設することができる。【０００９】  上記発明の構成におけるＬＥＤ光源については、そのＬＥＤ光源が複数色の発光機能を有するか、またはＬＥＤ光源として発光色の異なる複数のＬＥＤを備え、操作スイッチまたはタッチスイッチによって発光色を切替え可能であるものとすることができる。【００１０】  また、発光色を切替え可能とする上記発明については、ＬＥＤ光源の発光色を所定の繰返しパターンまたは無作為に自動的に切り換える制御回路を備えるものとすることができる。【００１１】  さらに、上記いずれの発明についても、ＬＥＤ光源が殺菌作用を有する紫外領域の光線を発する構成とすることができる。【００１２】  上記内照式の箸の各構成の意義、および各構成から導かれる作用または機能は、次のようなものである。【００１３】  内照式の箸においては、箸自体が光透過性の素材または光通過性の構造によって形成される。光透過性の素材とは、例えば、アクリルのように透明度の高い非結晶性樹脂の他、ＰＥＴ樹脂のような結晶性樹脂であって、結晶化しない成形条件で透明に成形したもの、および結晶化する成形条件で乳白色に成形したもの、その他成形完了状態において無色透明または無色半透明、有色透明または有色半透明を呈する樹脂材料であって、法規制上、食器類に使用が許容される樹脂材料を広く含む趣旨である。【００１４】  一方、光通過性の構造とは、箸状の先細り外形の筒体ないしパイプ状体の内部空間を介して光を通過させる構造をいい、筒体ないしパイプ状体の端面若しくは外周面に１個以上の透孔を形成したものを含む趣旨である。また、光透過性の素材と光通過性の構造とを組み合わせることもできるものとする。【００１５】  内照式の箸におけるＬＥＤ光源は、箸の基端部または箸の中間部の任意位置に電池とともに装填される。この際、箸の基端部とは、手に持つ側の端部の意味である。また、使用するＬＥＤには、特に制限はなく、可能であれば、高輝度高照度のものを用いることが好ましいという程度である。電池については、箸の内部に交換可能に装填する必要があり、コイン型または単５型のリチウムイオン電池を用いることが好ましい。また、箸の基端部または箸の中間部には、ＬＥＤ光源を点灯させるための操作スイッチまたはタッチスイッチが設けられる。【００１６】  内照式の箸は、箸の使用に際して使用者が操作スイッチを意識的に操作することにより、または、箸の使用に際して使用者の指がタッチスイッチに触れることにより内部のＬ��Ｄが点灯し、内部照明特有の浮かび上がるようなイルミネーション効果を基本として、上記各構成に応じた変化に富んだ外観を作出することができる。【００１７】  例えば、箸が先端部のみから光を放つようにされたパイプ状の光通過性構造として形成されている場合においては、ＬＥＤ光源からの光は、箸先に位置する調理を箸の動きにあわせてピンポイントで照明するような放射態様となる。また、箸が、外周面に無数の透孔を形成したパイプ状に構成されている場合には、無数の透孔から外部に光がもれ出す星空のような斬新な放射態様が実現される。【００１８】  箸が光透過性の素材によって形成され、その光透過性の素材中にレーザ彫刻手法によって文字や図案が刻設されている場合においては、ＬＥＤ光源からの光線が文字や図案と干渉して散乱し、光によって文字や図案が描かれているような光の放射態様が実現される。【００１９】  ＬＥＤ光源が複数色の発光機能を有するか、またはＬＥＤ光源として発光色の異なる複数のＬＥＤを備え、操作スイッチまたはタッチスイッチによって発光色を切替え可能であるものは、箸を調理に応じた色合いに変化させながら、あるいは、タッチスイッチに指先が干渉するごとの箸の色合いの変化を楽しむことができる。【００２０】  また、ＬＥＤ光源の発光色を所定の繰返しパターンまたは無作為に自動的に切り替える制御回路を備えるものは、使用者の食事動作とは無関係に箸の色合いが変化する意外性に富んだ発光状態を実現することができる。【００２１】  ＬＥＤ光源が殺菌作用を有する紫外領域の光線を発するものは、この光線を箸の先端部側の一定範囲に導いて集中的に放射させることにより、経時使用により不衛生になり易い箸の先端部を清浄に保つことができる。
【発明の効果】
【００２２】  本発明の内照式の箸は、箸自体を光透過性の素材または光通過性の構造によって形成するとともに、箸の内部にＬＥＤ光源と電池を装填し、箸の使用に際してＬＥＤ光源からの光線を、光透過性の素材または光通過性の構造を介して箸の任意箇所に導いて発光させる基本構成によって、その用途上、構造や形状やサイズが限定的であるために新機軸を打ち出すことが難しい箸の分野に、光をデザイン要素とする新たなデザインの可能性を開拓すること、および特定の波長の光が有する殺菌機能を付加することに成功した。
【図面の簡単な説明】
【００２３】
【図１】  本発明の内照式の箸の実施の形態を示す斜視図である。
【図２】  上記実施の形態における部品の斜視図である。
【図３】  上記実施の形態における要部の断面図である。
【図４】  上記実施の形態における電気系の構成概念図である。
【図５】  上記実施の形態におけるＬＥＤ光源の制御パターンの説明図である。
【図６】  本発明の内照式の箸の他の実施の形態を示す斜視図である。
【図７】  上記実施の形態における要部の断面図である。
【図８】  本発明の内照式の箸の他の実施の形態を示す斜視図である。
【図９】  本発明の内照式の箸の他の実施の形態を示す要部の斜視図である。
【発明を実施するための形態】
【００２４】  以下、図面を引用しながら本発明に係る内照式の箸の実施の形態を説明する。なお、箸１０は、２本で一膳であり、２本の箸１０は同一構成であるので、以下の説明は、その１本についてする。ただし、本発明は、構成が異なる箸１０を２本一膳として組み合わせることを意図的に排除する趣旨ではない。
【００２５】  箸１０の構成の概要を示す。箸１０は、全体として先細りに形成されている（図１）。細くなっている方が箸１０の先端部側１Ａであり、太くなっている方が箸１０の基端部側１Ｂである。箸１０は、一般的な箸のように全体が一様の材質で形成されているのではなく、箸１０の基端部側１Ｂは、ＬＥＤ光源Ｌ１…Ｌ３等を内蔵した電装部２自体によって形成され、この電装部２に箸１０の先端部側１Ａを形成する箸本体１が連結された全体構成である。
【００２６】  箸１０における電装部２は（図１，図３）、筒状に形成された軽金属性の外装ケース２Ａの内部に、コイン型のリチウムイオン電池Ｂを３個収納する電池ケース２Ｃと、発光色が異なる３個のＬＥＤ光源Ｌ１…Ｌ３および操作スイッチ２Ｓを実装した回路基板２Ｂ、雄ネジブロック２Ｆ等を装填し、外装ケース２Ａの両端からネジキャップ２Ｄと固定のフランジ口金２Ｊとによってこれらを挟み込むようにして位置決めする構造である。
【００２７】  電装部２をさらに詳細に説明すると、雄ネジブロック２Ｊは、透明アクリル樹脂製であって、雄ネジ部をフランジ口金２Ｊの中心位置に形成された透孔を介して箸１０の先端部側１Ａに向けて突出させる姿勢で取り付けられている。回路基板２Ｂは、箸１０の軸方向を向いた水平部分と、径方向を向いた円板状部分とからなり（図２，図３）、３個のＬＥＤ光源Ｌ１…Ｌ３は、回路基板２Ｂの円板状部分に箸１０の先端部側１Ａを向けて取り付けられている。なお、回路基板２Ｂには、ＬＥＤ光源Ｌ１…Ｌ３の点灯態様を制御する制御回路ＲＣが搭載されている。
【００２８】  雄ネジブロック２Ｊの後端面は、回路基板２Ｂの円板状部分と平行な平面に形成され、ＬＥＤ光源Ｌ１…Ｌ３に対面して接している。回路基板２Ｂに実装された操作スイッチ２Ｓは、基板用のマイクロスイッチであり、外装ケース２Ａに設けたウォータプルーフ構造の押しボタン２Ｈに対応して位置している。３個の電池Ｂ…は、バネ板電極２Ｐを介して回路基板２Ｂに接続された状態で電池ケース２Ｃに装填され、マイナス電極となるネジキャップ２Ｄを取り外すことによって交換可能である（図１，図３）。
【００２９】  一方、電装部２に連結されて箸１０の先端部側１Ａを形成している箸本体１は、硬質の透明アクリル樹脂からなる。電装部２と箸本体１との連結方法は、電装部２のフランジ口金２Ｊから突出している雄ネジブロック２Ｆの雄ネジ部分を利用して螺着する方式である（図３）。
【００３０】  箸本体１の外形は、アール面取りをした角形断面形状から円形断面形状の先端部側１Ａに向かって漸次に形状変化する一般的な外形である。また、箸本体１の先端部側１Ａは、光を乱反射させるための糸目模様の凹凸表面仕上げとされている（図１）。また、この凹凸表面仕上げは、食品に対する滑止めを兼ねる。
【００３１】  上記のような構成の内照式の箸１０は、電装部２の外装ケース２Ａの表面に現れている押しボタン２Ｈを介して操作スイッチ２Ｓを閉路し、制御回路ＲＣに電池Ｂからの電流を供給することにより、制御回路ＲＣの機能に従ってＬＥＤ光源Ｌ１…Ｌ３を点灯制御することができる（図４）。
【００３２】３個のＬＥＤ光源Ｌ１…Ｌ３に対する制御態様は多様であるが、例えば（図５）、１サイクル期間Ｔ内における一定の点灯期間Ｔ１：Ｌ１のみ点灯、次いで、Ｔ２：Ｌ２のみ点灯、Ｔ３：Ｌ３のみ点灯、Ｔ４：Ｌ１とＬ２とが同時点灯、Ｔ５：Ｌ２とＬ３とが同時点灯、Ｔ６：Ｌ１とＬ３とが同時点灯、Ｔ７：Ｌ１…Ｌ３のすべてが同時点灯する繰返しパターンを反復するパターン化された制御態様とすることができる。また、制御回路ＲＣによる制御態様は、飽きがこないようにＬＥＤ光源Ｌ１点Ｌ３を無作為に切り替える態様とすることもできる。
【００３３】  上記いずれの制御態様による場合においても、点灯されたいずれかのＬＥＤ光源から発した光は、雄ネジブロック２Ｆおよび箸本体１の内部を透過して先端部側１Ａの凹凸表面仕上げとした部分で乱反射して外部に放射される。すなわち、箸本体１の先端部側１Ａのみが顕著に光輝する発光態様となるのである。また、箸１０の先端部側１Ａの発光色は、制御回路ＲＣの機能に従って自動的に変化することとなる。この際、箸１０の先端部以外の部分は、光ファイバと同様に光を外部に放射することなく先端部側１Ａに導くように機能している。ただし、箸本体１Ａの内部を光が通過している様子は、箸本体１Ａの色調変化として外部から観察される。
【００３４】  本発明の内照式の箸１０は、箸１０の先端部側１Ａのみだけでなく、基端部側１Ｂからも光を放射する形態とすることができる（図６）。箸本体１が取り付けられた電装部２の反対側には、箸１０の基端部を構成する透明アクリル樹脂製の基端部材３が取り付けられている。この基端部材３の端面３Ｌは、多面にカットされている。この実施の形態における箸本体１および基端部材３は、電装部２の外装ケース２Ａに直接螺入する構造で連結され、電装部２は、箸１０の中間部の基端部側１Ｂに位置している。
【００３５】  電装部２は、概ね上記実施の形態に準ずる内容である（図７）。異なる点としては、電池ケース２Ｃには、茶筒構造の開閉式ものが採用され、その端面の中心位置に発光色の異なるＬＥＤ光源Ｌ１，Ｌ２がそれぞれ１個取り付けられている。箸本体１および基端部材３の端面は、このＬＥＤ光源Ｌ１，Ｌ２に対面している。なお、電池Ｂ，Ｂの交換は、電装部２から基端部材３を取り外して電池ケース２Ｃを取り出し、電池ケース２Ｃを開いて実施することができる。
【００３６】  ＬＥＤ光源Ｌ１，Ｌ２が２個の場合における点灯制御は、交互点灯と同時点灯が基本となる。その他、点滅制御等を採用することができる。しかし、このようなシンプルな構成の場合には、操作スイッチ２Ｓに２回路切替えスイッチを使用し、手動によって２個のＬＥＤ光源Ｌ１，Ｌ２を点灯制御することによって制御回路ＲＣや回路基板２Ｂを省略し、低コスト化を図ることもできる。
【００３７】  上記形態の内照式の箸１０は、箸１０の基端部側１Ｂも発光させることができるので、箸１０のデザイン自由度を一層拡大することができる。なお、この形態の箸１０においても、電池ケース２Ｃの各端面に２個以上のＬＥＤ光源を設けることもできる。
【００３８】  内照式の箸１０における箸本体１は、ステンレスやチタン等の金属薄肉テーパ絞りパイプ製とすることができる（図８）。パイプ製の箸本体１の先端部は、切り放しとし、この部分に先端チップ５が埋め込まれている。箸本体１の中間部には、無数の小孔１Ｈ…が形成されている。小孔１Ｈ…の配列は、無作為配列である。箸本体１の内部には、食品の侵入を防止するため無色または有色透明の樹脂が充填されている。電装部２には、静電容量検出方式のタッチスイッチ２Ｔが設けられている。
【００３９】  上記形態の箸１０は、先端チップ５と無数の小孔１Ｈ…とから光が漏れ出すような特有のイルミネーション効果を発揮する。基端部材３に黒色半透明のアクリル樹脂を用いるとともに、箸本体１を塗り仕上げしたものでは、品位感や高級感も十分であり、結婚式等の正式の催しにも適合することができる。
【００４０】  上記形態における箸本体１の中間部の小孔１Ｈ…に関しては、これを省略し、先端チップ５のみから光を放つようにしてもよい。この場合には、箸本体１の内部は、中空の状態のままでも支障はない。軽量であることにより軽快な使用感の箸１０とすることができる。
【００４１】  内照式の箸１０においては、光透過性の素材中にレーザ彫刻手法によって文字や図案を刻設することができる。例えば、箸１０の使用者の名前の頭文字３Ｔ等である（図９）。レーザ彫刻手法は、光透過性素材の内部にレーザ光の３次元制御によって任意の立体図形を精密彫刻する手法として公知である。この方法によって加工された図形等は、ＬＥＤ光源Ｌ２を点灯するまでもなく外部から観察されるのであるが、ＬＥＤ光源Ｌ２によって照明することによって鮮明に浮かび上がらせることができる。
【００４２】  なお、内照式の箸１０に使用するＬＥＤ光源Ｌ１…としては、１素子のＬＥＤ内に２組以上のアノードとカソードを備え、１素子で複数色を切り替えて使用することができるようにしたタイプのものを用いることができる。このようなＬＥＤ素子は、実質的には複数素子であり、狭い設置スペースに多数のＬＥＤ素子を設置する必要がある場合には、便利である。
【００４３】  また、内照式の箸１０に使用するＬＥＤ光源Ｌ１…には、殺菌作用を有する紫外領域の光線を発するものを使用することができる。この種のＬＥＤ光源は、ＬＥＤ光源からの光が箸１０の先端部において散乱する形態の箸１０（図１，図６）に適用することによって、実質的に有効な清浄効果を発揮させることができる。この場合、箸本体１の材質には、紫外線劣化に耐久性を有する樹脂素材を選択することが好ましいといえる。この点、アクリル樹脂は紫外線に強い部類である。
【符号の説明】
【００４４】  １０        箸
Ｌ１        ＬＥＤ光源
Ｌ２        ＬＥＤ光源
Ｌ３        ＬＥＤ光源
Ｂ          電池
２Ｓ        操作スイッチ
２Ｔ        タッチスイッチ
ＲＣ        制御回路
【図１】
2011067578.tif 000003
【図２】
2011067578.tif 000004
【図３】
2011067578.tif 000005
【図４】
2011067578.tif 000006
【図５】
2011067578.tif 000007
【図６】
2011067578.tif 000008
【図７】
2011067578.tif 000009
【図８】
2011067578.tif 000010
【図９】
2011067578.tif 000011